【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
電子写真装置に用いられる転写材担持部材または中間転写部材に用いられる樹脂フィルムであって、該転写材担持部材は、ｉ）樹脂と、ｉｉ）導電性充填剤と、ｉｉｉ）、オルガノポリシロキサンと、を含み、
該樹脂が、シロキサン構造を含む構成単位とフルオレン構造を含む構成単位とを有するポリカーボネート樹脂（ａ）を含んでいることを特徴とする樹脂フィルム。
【請求項２】
前記ポリカーボネート樹脂（ａ）が、下記一般式（１）で示される構成単位と、下記一般式（３）で示される構成単位を有している請求項１に記載の樹脂フィルム：
【化１】
2006227177.tif 000001
（式（１）中、Ｒ1〜Ｒ4は、各々独立して、水素、炭素数１〜５のアルキル基、炭素数６〜１２のアリール基、炭素数２〜５のアルケニル基、炭素数１〜５のアルコキシ基、または炭素数７〜１７のアラルキル基であり、Ｒ5〜Ｒ8は、各々独立して、水素、炭素数１〜５のアルキル基、炭素数６〜１２のアリール基、炭素数２〜５のアルケニル基、炭素数１〜５のアルコキシ基または炭素数７〜１７のアラルキル基であり、Ｒ9及びＲ10は各々独立して単結合又は炭素数１〜６の２価の脂肪族炭化水素基を表し、
Ｘは、−ＳｉＯ(Ｒ11)(Ｒ12)−で示される構成単位、−ＳｉＯ(Ｒ13)(Ｒ14)−で示される構成単位、及び−ＳｉＯ(Ｒ29)(Ｒ30)−で示される構成単位から選ばれる少なくとも一つの単独重合体、若しくは二つ又は三つのブロック共重合体またはランダム共重合体を表し、重合度は０〜２００であり、
Ｒ11〜Ｒ14、Ｒ29およびＲ30は、各々独立して、水素、炭素数１〜５のアルキル基、炭素数６〜１２のアリール基、炭素数２〜５のアルケニル基、炭素数１〜５のアルコキシ基、または炭素数７〜１７のアラルキル基である。）、
【化２】
2006227177.tif 000002
（式（３）中、Ｒ25〜Ｒ28は、各々独立して、水素、炭素数１〜５のアルキル基、炭素数６〜１２のアリール基、炭素数２〜５のアルケニル基、炭素数１〜５のアルコキシ基、又は炭素数７〜１７のアラルキル基を表す。）。
【請求項３】
該樹脂が、前記ポリカーボネート樹脂（ａ）とは異なるポリカーボネート樹脂を更に含んでいる請求項１または２に記載の樹脂フィルム。
【請求項４】
前記ポリカーボネート樹脂（ａ）とは異なるポリカーボネート樹脂が、前記一般式（１）で示される構成単位と、下記一般式（２）で示される構成単位とを有するポリカーボネート樹脂を含む、請求項３に記載の樹脂フィルム：
【化３】
2006227177.tif 000003
（式（２）中、Ｒ15〜Ｒ18は、各々独立して、水素、炭素数１〜１０のアルキル基、炭素数６〜１２のアリール基、炭素数２〜５のアルケニル基、炭素数１〜５のアルコキシ基、炭素数７〜１７のアラルキル基であり、Ｙは、
【化４】
2006227177.tif 000004
【請求項５】
前記ポリカーボネート樹脂（ａ）とは異なるポリカーボネート樹脂が、前記一般式（２）で示される構成単位のみを有するポリカーボネート樹脂を含む、請求項３および４に記載の樹脂フィルム。
【請求項６】
前記一般式（２）で示される構成単位が、下記式（４）で示される構造を有する請求項３〜５に記載の樹脂フィルム。
【化５】
2006227177.tif 000005
【請求項７】
前記一般式（２）で示される構成単位が、下記式（５）で示される構造を有する請求項３〜６のいずれかに記載の樹脂フィルム。
【化６】
2006227177.tif 000006
【請求項８】
前記樹脂が、ポリカーボネート樹脂（ａ）以外の樹脂として、ポリエステル、ポリアリレート、ポリフェニレンオキサイド、ポリフェニレンスルフィドの内少なくとも一種類を更に含む請求項１または２に記載の樹脂フィルム。
【請求項９】
前記オルガノポリシロキサンが下記平均組成式（６）で示される構造を有する請求項１〜８のいずれかに記載の樹脂フィルム。
（Ｒ31）mＳｉＯ(4-m)/2     （６）
（式（６）中、Ｒ31は同一であっても異なっていても良く、水素原子、水酸基、フェニル基、アリール基、炭素数１〜６の１価の炭化水素基あるいはアルコキシル基であり、０．５≦ｍ≦３．０の要件を満たす数である。）
【請求項１０】
前記オルガノポリシロキサンの少なくとも一部が下記平均組成式（７）で示される構造を有する請求項９記載の樹脂フィルム。
（Ｒ32）m（Ｒ33）n（ＯＲ34）o（ＯＨ）pＳｉＯ(4-m-n-o-p)/2     （７）
（式（７）中、Ｒ32はフェニル基、Ｒ33はフェニル基を除いた炭素数１〜６の１価の炭化水素基、Ｒ34は炭素数１〜４の１価の炭化水素基を示し、ｍ、ｎ、ｏ、ｐは、０．５≦ｍ≦２．０；０．１≦ｎ≦２．３；０≦ｏ≦０．２；０≦ｐ≦０．３；０．９≦ｍ＋ｎ＋ｏ＋ｐ≦２．８の要件を満たす数である。）
【請求項１１】
前記式（６）中のＲ31の少なくとも一部が水素原子であるＳｉ−Ｈ基であり、Ｓｉ−Ｈ基を０．３ｍｏｌ／１００ｇ以上含有するオルガノポリシロキサンである請求項９または１０記載の樹脂フィルム。
【請求項１２】
前記オルガノポリシロキサンが下記平均組成式（８）で示される構造を有する請求項９〜１１のいずれかに記載の樹脂フィルム。
（Ｒ35）q（Ｒ36）m（Ｒ37）n（ＯＲ38）o（ＯＨ）pＳｉＯ(4-q-m-n-o-p)/2 （８）
（式（８）中、Ｒ35はフェニル基、Ｒ36はビニル基、Ｒ37は炭素数１〜６のアルキル基、Ｒ38は炭素数１〜４の１価の炭化水素基を示し、ｑ、ｍ、ｎ、ｏ、ｐは、０．５≦ｑ≦２．０；０．１≦ｍ≦０．６；０．１≦ｎ≦１．４；０．２≦ｏ≦２．０；０≦ｐ≦０．２；０．９５≦ｑ＋ｍ＋ｎ＋ｏ＋ｐ≦２．８の要件を満たす数である。）
【請求項１３】
前記式（１）中、Ｒ5〜Ｒ8が各々独立してメチル基またはフェニル基である請求項１〜７のいずれかに記載の樹脂フィルム。
【請求項１４】
前記式（１）で示される構成単位が、下記式（９）で示される構造、及び下記式（１０）で示される構造の少なくとも一方である請求項２〜４のいずれかに記載の樹脂フィルム：
【化７】
2006227177.tif 000007
【化８】
2006227177.tif 000008
（上記式（９）及び（１０）中、Ｘは各々独立に−ＳｉＯ(Ｒ11)(Ｒ12)−で示される構成単位、−ＳｉＯ(Ｒ13)(Ｒ14)−で示される構成単位、及び−ＳｉＯ(Ｒ29)(Ｒ30)−で示される構成単位から選ばれる少なくとも一つの単独重合体、若しくは二つ又は三つのブロック共重合体またはランダム共重合体を表し、重合度は０〜２００であり、
Ｒ11〜Ｒ14、Ｒ29およびＲ30は、各々独立して、水素、炭素数１〜５のアルキル基、炭素数６〜１２のアリール基、炭素数２〜５のアルケニル基、炭素数１〜５のアルコキシ基、または炭素数７〜１７のアラルキル基である）。
【請求項１５】
請求項１〜１４のいずれかに記載の樹脂フィルムを有することを特徴とする電子写真装置に用いられる転写材担持部材。
【請求項１６】
請求項１〜１４のいずれかに記載の樹脂フィルムを有することを特徴とする電子写真装置に用いられる中間転写部材。
【請求項１７】
画像担持体上に形成されるトナー像が転写される転写材、及びトナー像が転写された転写材の少なくとも一方を担持する請求項１５に記載の転写材担持部材を具備していることを特徴とする電子写真装置。
【請求項１８】
画像担持体上に形成されたトナー像が転写され、該転写されたトナー像を転写材に転写する請求項１６に記載の中間転写部材を具備していることを特徴とする電子写真装置。